(57)【要約】【課題】録画中にアクシデントが発生しても、ユーザが所望する映像音声情報の全てを録画することができる録画装置を提供する。【解決手段】ＤＶＤへの録画が開始されると、リングバッファ４に圧縮情報が順次記憶されてゆき、リングバッファ４に圧縮情報が所定量貯まるたびにＤＶＤドライブ６はＤＶＤに、ハードディスクドライブ５はハードディスクにリングバッファ４に記録された圧縮情報を記録させてゆき、ＤＶＤへの記録中に書き込みエラーが発生するか、または、ＤＶＤの残り記録可能容量が０となると、ＤＶＤドライブ６は記録を中止し、ハードディスクドライブ５は、ＤＶＤへの記録が中断された所定量の圧縮情報をハードディスクに記録させ、以降、リングバッファ４に圧縮情報が所定量貯まるたびにハードディスクドライブ５はハードディスクにリングバッファ４に記録された圧縮情報を記録させてゆく。【選択図】図１
2007251309.tif 000002
【特許請求の範囲】
【請求項１】
映像音声情報が順次記憶される記憶手段と、第一の記録手段と、第二の記録手段と、ダビング手段と、消去手段と、を備えた録画装置であって、
第一の記録手段は、前記記憶手段に記憶された映像音声情報を所定量ずつ録画装置から取り出し可能な記録媒体である第一の記録媒体に記録させ、第二の記録手段は、前記記憶手段に記憶された映像音声情報を所定量ずつ第二の記録媒体に記録させ、
前記第一の記録手段が前記第一の記録媒体に映像音声情報を所定量記録する途中で書き込みエラーが発生すると、または、前記第一の記録媒体の残り記録可能容量が０となると、前記第一の記録手段は記録を中止し、前記第二の記録手段は映像音声情報を所定量ずつ前記第二の記録媒体に記録させることを続行し、記録が完了後、前記第二の記録手段は、前記第二の記録媒体に記録された映像音声情報に対応する管理情報を前記第二の記録媒体に記録させ、
その後、操作手段による選択操作に応じて、
前記ダビング手段が、前記第二の記録媒体に記録された映像音声情報を前記第一の記録媒体と交換された記録媒体にダビングするか、
前記第二の記録手段が、前記第二の記録媒体に記録された前記管理情報に基づき、前記第二の記録媒体に記録された映像音声情報に関する情報を、前記第二の記録媒体に記録されている前記第二の記録媒体用の管理情報に追加するか、
前記消去手段が、前記第二の記録媒体に記録された映像音声情報および前記管理情報を前記第二の記録媒体から消去するか、
のいずれかの動作をする、
ことを特徴とする録画装置。
【請求項２】
映像音声情報が順次記憶される記憶手段と、第一の記録手段と、第二の記録手段と、を備えた録画装置であって、
第一の記録手段は、前記記憶手段に記憶された映像音声情報を所定量ずつ第一の記録媒体に記録させ、第二の記録手段は、前記記憶手段に記憶された映像音声情報を所定量ずつ第二の記録媒体に記録させ、
前記第一の記録手段が前記第一の記録媒体に映像音声情報を所定量記録する途中で書き込みエラーが発生すると、または、前記第一の記録媒体の残り記録可能容量が０となると、前記第一の記録手段は記録を中止し、前記第二の記録手段は映像音声情報を所定量ずつ前記第二の記録媒体に記録させることを続行する、
ことを特徴とする録画装置。
【請求項３】
前記第一の記録媒体は録画装置から取り出し可能な記録媒体であり、ダビング手段を備え、
前記第二の記録手段が映像音声情報を所定量ずつ前記第二の記録媒体に記録させることを続行し、記録が完了後、前記ダビング手段は、前記第二の記録媒体に記録された映像音声情報を前記第一の記録媒体と交換された記録媒体にダビングする、
ことを特徴とする請求項２に記載の録画装置。
【請求項４】
前記第二の記録手段が映像音声情報を所定量ずつ前記第二の記録媒体に記録させることを続行し、記録が完了後、前記第二の記録手段は、前記第二の記録媒体に記録された映像音声情報に対応する管理情報を前記第二の記録媒体に記録させ、
前記第二の記録手段は、前記第二の記録媒体に記録された前記管理情報に基づき、前記第二の記録媒体に記録された映像音声情報に関する情報を、前記第二の記録媒体に記録されている前記第二の記録媒体用の管理情報に追加する、
ことを特徴とする請求項２または請求項３に記載の録画装置。
【発明の詳細な説明】
【技術分野】
【０００１】
本発明は、録画装置に関する。
【背景技術】
【０００２】
昨今、ハードディスクを備えた複合型のＤＶＤレコーダが普及している。このようなＤＶＤレコーダでは、放送番組や外部入力端子に入力される映像音声をＤＶＤに録画することができる。しかし、ＤＶＤが粗悪品等の場合、ＤＶＤへの書き込みエラーが発生し録画が中断され、ユーザが所望する映像音声情報の途中までしか録画できないという問題があった。そこで従来のＤＶＤレコーダには、ＤＶＤへの録画が中断された場合、その後の映像音声情報をハードディスクに録画させる機能を有するものがある。なお、本発明に関わるものとしては、例えば特許文献１に、固定メディアと取出し可能メディアにデータを記録する記録装置が開示されている。
【特許文献１】特開２００２−１８４１０４号公報
【発明の開示】
【発明が解決しようとする課題】
【０００３】
しかし、上記従来のＤＶＤレコーダでは、ＤＶＤへの録画が中断してからハードディスクへの録画に切り換える間の映像音声情報が欠落してしまい、ユーザが所望する映像音声情報の全てを録画できないという問題があった。
【０００４】
本発明は上記問題点を鑑み、録画中にアクシデントが発生しても、ユーザが所望する映像音声情報の全てを録画することができる録画装置を提供することを目的とする。
【課題を解決するための手段】
【０００５】
上記目的を達成するために本発明の録画装置は、映像音声情報が順次記憶される記憶手段と、第一の記録手段と、第二の記録手段と、を備えた録画装置であって、
第一の記録手段は、前記記憶手段に記憶された映像音声情報を所定量ずつ第一の記録媒体に記録させ、第二の記録手段は、前記記憶手段に記憶された映像音声情報を所定量ずつ第二の記録媒体に記録させ、
前記第一の記録手段が前記第一の記録媒体に映像音声情報を所定量記録する途中で書き込みエラーが発生すると、または、前記第一の記録媒体の残り記録可能容量が０となると、前記第一の記録手段は記録を中止し、前記第二の記録手段は映像音声情報を所定量ずつ前記第二の記録媒体に記録させることを続行する、
ことを特徴とする。
【０００６】
このような構成によれば、第一の記録媒体への録画中にアクシデントが発生しても、第二の記録媒体にユーザが所望する映像音声情報の全てを録画することができる。
【０００７】
また、本発明の録画装置は、前記第一の記録媒体は録画装置から取り出し可能な記録媒体であり、ダビング手段を備え、
前記第二の記録手段が映像音声情報を所定量ずつ前記第二の記録媒体に記録させることを続行し、記録が完了後、前記ダビング手段は、前記第二の記録媒体に記録された映像音声情報を前記第一の記録媒体と交換された記録媒体にダビングする、ことを特徴とする。
【０００８】
このような構成によれば、録画が中断された第一の記録媒体に換えて別の記録媒体にユーザが所望する映像音声情報の全てを保存することができる。
【０００９】
また、本発明の録画装置は、前記第二の記録手段が映像音声情報を所定量ずつ前記第二の記録媒体に記録させることを続行し、記録が完了後、前記第二の記録手段は、前記第二の記録媒体に記録された映像音声情報に対応する管理情報を前記第二の記録媒体に記録させ、
前記第二の記録手段は、前記第二の記録媒体に記録された前記管理情報に基づき、前記第二の記録媒体に記録された映像音声情報に関する情報を、前記第二の記録媒体に記録されている前記第二の記録媒体用の管理情報に追加する、ことを特徴とする。
【００１０】
このような構成によれば、ユーザが所望する映像音声情報の全てである第二の記録媒体に録画されたバックアップとしてのタイトルを、第二の記録媒体の通常のタイトルとして登録することができる。
【００１１】
また、本発明の録画装置は、映像音声情報が順次記憶される記憶手段と、第一の記録手段と、第二の記録手段と、ダビング手段と、消去手段と、を備えた録画装置であって、
第一の記録手段は、前記記憶手段に記憶された映像音声情報を所定量ずつ録画装置から取り出し可能な記録媒体である第一の記録媒体に記録させ、第二の記録手段は、前記記憶手段に記憶された映像音声情報を所定量ずつ第二の記録媒体に記録させ、
前記第一の記録手段が前記第一の記録媒体に映像音声情報を所定量記録する途中で書き込みエラーが発生すると、または、前記第一の記録媒体の残り記録可能容量が０となると、前記第一の記録手段は記録を中止し、前記第二の記録手段は映像音声情報を所定量ずつ前記第二の記録媒体に記録させることを続行し、記録が完了後、前記第二の記録手段は、前記第二の記録媒体に記録された映像音声情報に対応する管理情報を前記第二の記録媒体に記録させ、
その後、操作手段による選択操作に応じて、
前記ダビング手段が、前記第二の記録媒体に記録された映像音声情報を前記第一の記録媒体と交換された記録媒体にダビングするか、
前記第二の記録手段が、前記第二の記録媒体に記録された前記管理情報に基づき、前記第二の記録媒体に記録された映像音声情報に関する情報を、前記第二の記録媒体に記録されている前記第二の記録媒体用の管理情報に追加するか、
前記消去手段が、前記第二の記録媒体に記録された映像音声情報および前記管理情報を前記第二の記録媒体から消去するか、
のいずれかの動作をする、
ことを特徴とする。
【００１２】
このような構成によれば、ユーザが所望する映像音声情報の全てである第二の記録媒体に録画されたバックアップとしてのタイトルを、第一の記録媒体に換えて別の記録媒体に保存するか、第二の記録媒体の通常のタイトルとして登録するか、不要であるとして第二の記録媒体から削除するか、をユーザが選択することができる。
【発明の効果】
【００１３】
本発明の録画装置によれば、録画中にアクシデントが発生しても、ユーザが所望する映像音声情報の全てを録画することができる。
【発明を実施するための最良の形態】
【００１４】
以下、本発明の実施形態例について図面を参照し説明する。図１は、本発明に係る複合型ＤＶＤレコーダの構成の一部を示すブロック図である。なお、本発明はその他の録画装置に適用してもよい。
【００１５】
アンテナ１は、放送電波を受信し電気信号である放送信号に変換し、チューナ２に送出する。チューナ２は、アンテナ１から入力される放送信号から所定の周波数の放送信号を選局し、映像音声情報をＭＰＥＧエンコーダ３に送出する。ＭＰＥＧエンコーダ３は、チューナ２から入力される映像音声情報を圧縮し圧縮情報をリングバッファ４に送出する。リングバッファ４は、最初のアドレスから順次情報が記憶されてゆき最後のアドレスまで記憶されると再び最初のアドレスから情報が上書き記憶されてゆくようなバッファであり、ＭＰＥＧエンコーダ３、ハードディスクドライブ５、ＤＶＤドライブ６により圧縮情報が記憶される。
【００１６】
ハードディスクドライブ５は、リングバッファ４に記憶された圧縮情報を内蔵するハードディスクに記録させたり、ハードディスクから圧縮情報を読み出してリングバッファ４に記憶させる。また、ＤＶＤドライブ６は、リングバッファ４に記憶された圧縮情報を内部に装填されたＤＶＤに記録させたり、ＤＶＤから圧縮情報を読み出してリングバッファ４に記憶させる。
【００１７】
ＭＰＥＧデコーダ８は、リングバッファ４に記憶された圧縮情報を伸長し映像情報をＯＳＤ（Ｏｎ  Ｓｃｒｅｅｎ  Ｄｉｓｐｌａｙ）部９に送出する。ＯＳＤ部９は、制御部７の指示により図形信号や文字信号を生成し、これらをＭＰＥＧデコーダ８から入力される映像情報と合成して表示信号を生成し、不図示のテレビ等の表示装置に送出する。
【００１８】
リモコン受信部１０は、不図示のリモコンから赤外線信号を受信しコード信号を制御部７に送出する。
【００１９】
次に、以上のような構成の本発明に係る複合型ＤＶＤレコーダのＤＶＤ録画時の動作について、図２のフローチャートに沿って説明する。
【００２０】
まず、通常録画の開始操作がされたり、現在時刻が予約録画開始時刻になると、ステップＳ２０で、ＤＶＤへの録画が開始され、ＤＶＤにタイトルが記録される。このとき、ハードディスクにバックアップタイトルが記録される。
【００２１】
上記ステップＳ２０について図３のフローチャートを用いて説明する。
【００２２】
リモコンにおいて通常録画の開始操作がされたり、現在時刻が予約録画開始時刻になると、制御部７の指示によりＭＰＥＧエンコーダ３は圧縮情報のリングバッファ４への送出を開始し、リングバッファ４に圧縮情報が順次記憶されてゆく。そして、制御部７がリングバッファ４に所定量の圧縮情報が貯まったことを確認すると（ステップＳ３０のＹ）、ステップＳ３１で、制御部７は、リングバッファ４に貯まった所定量の圧縮情報をＤＶＤに記録するようＤＶＤドライブ６に指示し、ＤＶＤドライブ６はリングバッファ４から圧縮情報を読み出しＤＶＤに記録してゆく。
【００２３】
そして、ＤＶＤに所定量の圧縮情報を記録するまでに書き込みエラーが発生せず、かつ、ＤＶＤの残り記録可能容量が０とならなかった場合は（ステップＳ３２のＮ）、ＤＶＤドライブ６は書き込み正常終了の旨を制御部７に伝え、ステップＳ３３に進む。ステップＳ３３で、制御部７は、リングバッファ４に貯まった所定量の圧縮情報をハードディスクに記録するようハードディスクドライブ５に指示し、ハードディスクドライブ５はリングバッファ４から圧縮情報を読み出しハードディスクに記録してゆく。そして、所定量の圧縮情報がハードディスクに記録されると、ステップＳ３０に戻る。以降、ステップＳ３０〜Ｓ３３を繰り返し、リングバッファ４に圧縮情報が所定量貯まるたびにＤＶＤおよびハードディスクに所定量ずつ圧縮情報が記録される。
【００２４】
そしてもし、ＤＶＤに所定量の圧縮情報を記録するまでに書き込みエラーが発生したか、または、ＤＶＤの残り記録可能容量が０となった場合は（ステップＳ３２のＹ）、その時点でＤＶＤドライブ６は記録を中止し、書き込みエラー発生の旨または残り記録可能容量が０となった旨を制御部７に伝え、ステップＳ３４に進む。
【００２５】
ステップＳ３４で、制御部７は、上記でＤＶＤへの記録が中止された所定量の圧縮情報をハードディスクに記録するようハードディスクドライブ５に指示し、ハードディスクドライブ５はリングバッファ４から圧縮情報を読み出しハードディスクに記録してゆく。そして、ステップＳ３５でリングバッファ４に新たに所定量の圧縮情報が貯まったことを制御部７が確認すると（ステップＳ３５のＹ）、ステップＳ３４で、制御部７は、リングバッファ４に貯まった所定量の圧縮情報をハードディスクに記録するようハードディスクドライブ５に指示し、ハードディスクドライブ５はリングバッファ４から圧縮情報を読み出しハードディスクに記録してゆく。以降、ステップＳ３５とＳ３４を繰り返し、リングバッファ４に所定量の圧縮情報が貯まるたびにハードディスクに所定量ずつ圧縮情報が記録されてゆく。
【００２６】
以上の図３のような動作中に、リモコンにおいて通常録画の停止操作がされたり、現在時刻が予約録画終了時刻になると、図３のような動作が停止し、ＤＶＤおよびハードディスクへの録画が完了する。そして、ＤＶＤドライブ６は、ＤＶＤに記録されたタイトルに対応する管理情報をＤＶＤに記録する。また、ハードディスクドライブ５は、ハードディスクに記録されたバックアップタイトルに対応する管理情報（以下、バックアップ用管理情報）をハードディスクに記録する。
【００２７】
説明を図２のフローチャートに戻し、ステップＳ２１で、録画が完了するまでにＤＶＤへの書き込みエラーが発生したか、または、ＤＶＤの残り記録可能容量が０となったことを（つまり図３のステップＳ３２のＹになったことを）制御部７が確認すると（ステップＳ２１のＹ）、ステップＳ２２に進む。この場合、ＤＶＤに記録されているタイトルはユーザが所望する映像音声情報の途中までであり、ハードディスクに記録されているバックアップタイトルはユーザが所望する映像音声情報の全てとなっている。
【００２８】
ステップＳ２２で、ＯＳＤ部９は制御部７の指示により表示信号を生成し表示装置に送出し、表示装置には図４のような画面が表示される。図４は、録画が完了するまでにＤＶＤへの書き込みエラーが発生した場合の画面であり、書き込みエラー発生の旨と、ハードディスクに記録されているバックアップタイトルの処理の選択項目とが表示される。なお、録画が完了するまでにＤＶＤの残り記録可能容量が０となった場合は、図４において書き込みエラー発生の旨がＤＶＤの残り記録可能容量が０となった旨に置き換わった画面が表示される。
【００２９】
表示画面において、リモコンの操作により選択枠１１が選択項目のうち「新しいＤＶＤへダビング」に移動され、リモコンの操作により決定されると、ステップＳ２３に進む。ステップＳ２３で、ＯＳＤ部９は制御部７の指示により表示信号を生成し表示装置に送出し、ユーザにディスクの交換を促す画面が表示装置に表示される。そして、ハードディスクドライブ５は制御部７の指示によりトレイを排出する。ユーザがトレイに載置されたＤＶＤを別のＤＶＤに交換し、ハードディスクドライブ５が有するトレイ開閉ボタンを押すと、ハードディスクドライブ５はトレイを閉め、ＤＶＤがハードディスクドライブ５に装填される。
【００３０】
そして、ステップＳ２４で、制御部７の指示によりハードディスクドライブ５はバックアップタイトルをハードディスクから読み出し、ＤＶＤドライブ６が読み出されたバックアップタイトルをＤＶＤに記録する。そして、ステップＳ２５で、制御部７の指示によりハードディスクドライブ５はハードディスクに記録されているバックアップタイトルおよびバックアップ用管理情報を消去して処理完了となる。これにより、ＤＶＤへの録画中に書き込みエラーが発生したり、ＤＶＤの残り記録可能容量が０となっても、ユーザが所望する映像音声情報の全てを新しいＤＶＤに保存することができる。また、ＤＶＤに保存した以上バックアップタイトルは不要であるから、ハードディスクから消去することで残り記録可能容量を増やすことができる。
【００３１】
また、上記図４のような表示画面において、リモコンの操作により選択枠１１が選択項目のうち「ハードディスクタイトルとして登録」に移動され、リモコンの操作により決定されると、ステップＳ２６に進む。ステップＳ２６で、制御部７の指示によりハードディスクドライブ５は、ハードディスクに記録されているバックアップ用管理情報に基づきバックアップタイトルに関する情報を、ハードディスクに記録されているハードディスク用管理情報に追加し、ハードディスク用管理情報を更新する。そして、ハードディスクドライブ５がハードディスクからバックアップ用管理情報を消去して処理完了となる。これにより、バックアップタイトルが通常のハードディスクタイトルとして登録される。
【００３２】
以降、リモコンにおいてタイトル一覧表示の操作がされると、上記ハードディスク用管理情報に基づきＯＳＤ部９が表示信号を生成し表示装置に送出し、バックアップタイトルのタイトル名がその他のタイトルのタイトル名と共に表示装置に一覧表示される。ここで、リモコンによりバックアップタイトルのタイトル名が選択され再生操作がされれば、ハードディスクドライブ５がバックアップタイトルをハードディスクから読み出しリングバッファ４を介してＭＰＥＧデコーダ８に送出し、ＭＰＥＧデコーダ８がバックアップタイトルを伸長して映像情報をＯＳＤ部９に送出し、ＯＳＤ部９が映像情報に基づく表示信号を表示装置に送出する。そして、表示装置にバックアップタイトルが再生表示される。
【００３３】
また、上記図４のような表示画面において、リモコンの操作により選択枠１１が選択項目のうち「バックアップタイトルを削除」に移動され、リモコンの操作により決定されると、ステップＳ２７に進む。ステップＳ２７で、制御部７の指示によりハードディスクドライブ５は、ハードディスクからバックアップタイトルおよびバックアップ用管理情報を消去し処理完了となる。これにより、ユーザがバックアップタイトルを不要とする場合はハードディスクから削除でき、残り記録可能容量を増やすことができる。
【００３４】
また、上記ステップＳ２１で、録画が完了するまでにＤＶＤへの書き込みエラーが発生せず、かつ、ＤＶＤの残り記録可能容量が０とならなかったことを（つまり図３のステップＳ３２のＹにならなかったことを）制御部７が確認すると（ステップＳ２１のＮ）、ステップＳ２８に進む。この場合、ＤＶＤに記録されているタイトルおよびハードディスクに記録されているバックアップタイトルはユーザが所望する映像音声情報の全てとなっている。
【００３５】
ステップＳ２８で、制御部７の指示によりハードディスクドライブ５は、ハードディスクからバックアップタイトルおよびバックアップ用管理情報を消去し処理完了となる。これにより、ＤＶＤにユーザが所望する映像音声情報の全てを保存できている以上不要であるバックアップタイトルを削除でき、ハードディスクの残り記録可能容量を増やすことができる。
【００３６】
なお、図３において、リングバッファ４に圧縮情報が所定量貯まるたびに、先にＤＶＤに圧縮情報を記録してからハードディスクに記録するようにしていたが、先にハードディスクに圧縮情報を記録してからＤＶＤに記録するようにし、ＤＶＤへの記録中に書き込みエラーが発生するか、または、ＤＶＤの残り記録可能容量が０となると、ＤＶＤへの記録を中止し、以降リングバッファ４に圧縮情報が所定量貯まるたびにハードディスクに圧縮情報を所定量ずつ記録させるようにしてもよい。
【図面の簡単な説明】
【００３７】
【図１】は、本発明に係るＤＶＤレコーダの構成の一部を示すブロック図である。
【図２】は、本発明に係るＤＶＤレコーダのＤＶＤ録画時の動作手順を示すフローチャートである。
【図３】は、本発明に係るＤＶＤレコーダのＤＶＤ録画時の動作手順を示すフローチャートである。
【図４】は、ＤＶＤ録画時に書き込みエラーが発生した場合に表示される画面例を示す図である。
【符号の説明】
【００３８】
１    アンテナ
２    チューナ
３    ＭＰＥＧエンコーダ
４    リングバッファ
５    ハードディスクドライブ
６    ＤＶＤドライブ
７    制御部
８    ＭＰＥＧデコーダ
９    ＯＳＤ部
１０    リモコン受信部
１１    選択枠
【図１】
2007251309.tif 000003
【図２】
2007251309.tif 000004
【図３】
2007251309.tif 000005
【図４】
2007251309.tif 000006